(57)【要約】【課題】  第１流体及び第２流体の混合状態を移送後も好適に保持することができる混合装置を提供する。【解決手段】  混合装置は、混合器としての第２エジェクタ１２と、第２エジェクタ１２に接続された移送管１３とを備えている。第２エジェクタ１２は、第１流入部４３及び第２流入部４５と、第１流入部４３及び第２流入部４５を連通する連通部５２と、第１流入部４３及び第２流入部４５を流動する流体の流速を変化させる第３狭窄部５３及び第４狭窄部５４とを有している。移送管１３の下流側の端部には、分岐管６２が同移送管１３から分岐して形成されている。移送管１３の下流側の端部は、第１流入部４３に接続され、分岐管６２は、第２流入部４５に接続されている。【選択図】      図１
2006167624.tif 000002
【特許請求の範囲】
【請求項１】
混合状態の第１流体及び第２流体を移送体の内部で流動させ、該移送体に接続された混合器で再混合し、同混合器から吐出する混合装置であって、
前記混合器は、第１流体及び第２流体が混合状態で流入する第１流入部及び第２流入部と、これら第１流入部と第２流入部を連通する連通部と、該第１流入部と該連通部との境界部分を同第１流入部及び同連通部に比べて幅狭とする狭窄部とを有し、
前記移送体は、該移送体から分岐して形成した分岐体を有し、
前記移送体を前記混合器の前記第１流入部に接続し、前記分岐体を前記混合器の前記第２流入部に接続した
ことを特徴とする混合装置。
【請求項２】
前記移送体は、第１流体及び第２流体の流動を滞らせる滞留部を有し、前記移送体の内部における第１流体及び第２流体の流動方向で前記混合器に向かう方向を下流として、当該滞留部を前記分岐体よりも上流に設けたことを特徴とする請求項１に記載の混合装置。
【請求項３】
第１流体及び第２流体を混合状態とする混合部を備え、前記移送体を介して前記混合器に該混合部を接続したことを特徴とする請求項１又は請求項２に記載の混合装置。
【請求項４】
前記混合部は、第１流体を流動させる第１供給体と、第２流体を流動させる第２供給体と、該第１供給体及び該第２供給体と前記移送体とに接続されて前記第１流体及び前記第２流体を合流させて前記移送体に送り込む合流器とを備えていることを特徴とする請求項３に記載の混合装置。
【請求項５】
前記合流器は、前記第１流体が流入する第１受容部と、前記第２流体が流入する第２受容部と、これら第１受容部と第２受容部を連通する合流部と、該第１受容部と該合流部との境界部分を同合流部へ向かうにつれ幅狭とする第１狭窄部と、該第２受容部と該合流部との境界部分を同合流部へ向かうにつれ幅狭とする第２狭窄部とを有していることを特徴とする請求項４に記載の混合装置。
【請求項６】
前記移送体の内部には第１タービンを回転可能に設け、前記分岐体の内部には第２タービンを回転可能に設け、該第１タービン及び該第２タービンを伝達軸で互いに接続し、前記移送体の内部における第１流体及び第２流体の流動による該第１タービンの回転力を該第２タービンに伝達したことを特徴とする請求項１から請求項５のうち何れか一項に記載の混合装置。
【請求項７】
前記第１流入部及び前記連通部を前記移送体の内部に設けるとともに、前記第２流入部を前記分岐体の内部に設けて前記移送体を前記混合器と一体的に構成したことを特徴とする請求項２から請求項６のうち何れか一項に記載の混合装置。
【請求項８】
前記滞留部を前記分岐体よりも上流に少なくとも２つ以上設けたことを特徴とする請求項７に記載の混合装置。
【発明の詳細な説明】
【技術分野】
【０００１】
本発明は、水、湯等の液体、空気等の気体等といった流体を均一に混合するための混合装置に関するものである。
【背景技術】
【０００２】
従来、上記のような混合装置として、特許文献１及び特許文献２に記載のエジェクタが挙げられる。これらエジェクタは、２つの管体がそれぞれ接続される一対の吸引部を有している。そして、各管体の内部を流動する液体、気体或いは固体からなる原料は、各吸引部からエジェクタの内部へと吸引され、同内部で合流されて混合された後、混合物となってエジェクタの外部へと吐出されるように構成されている。
【特許文献１】特許第３１５８６５６号公報
【特許文献２】特開２００３−２９４０００号公報
【発明の開示】
【発明が解決しようとする課題】
【０００３】
ところが、上記特許文献１及び特許文献２のエジェクタにおいては、同エジェクタから管体等を介して他箇所へ混合物を移送する際、管体等の内部で原料同士が分離したり、混合が不均一となったり等の不具合を生じる可能性が高いものとなっていた。
【０００４】
本発明は、このような従来技術に存在する問題点に着目してなされたものである。その目的とするところは、第１流体及び第２流体の混合状態を移送後も好適に保持することができる混合装置を提供することにある。
【課題を解決するための手段】
【０００５】
上記の目的を達成するために、請求項１に記載の混合装置の発明は、混合状態の第１流体及び第２流体を移送体の内部で流動させ、該移送体に接続された混合器で再混合し、同混合器から吐出する混合装置であって、前記混合器は、第１流体及び第２流体が混合状態で流入する第１流入部及び第２流入部と、これら第１流入部と第２流入部を連通する連通部と、該第１流入部と該連通部との境界部分を同第１流入部及び同連通部に比べて幅狭とする狭窄部とを有し、前記移送体は、該移送体から分岐して形成した分岐体を有し、前記移送体を前記混合器の前記第１流入部に接続し、前記分岐体を前記混合器の前記第２流入部に接続したことを要旨とする。
【０００６】
上記構成によれば、まず混合器の内部において、狭窄部を設けたことにより、混合状態の第１流体及び第２流体が狭窄部を通過するときに同狭窄部で圧力が変化し、第２流入部へ第１流体及び第２流体を吸引しようとする力が生じる。このため、移送体の内部で流動する混合状態の第１流体及び第２流体は、移送体の内部をそのまま流動するものと、分岐体へ分岐して同分岐体の内部を流動するものとに一旦分流される。そして、分流された第１流体及び第２流体は、混合器の連通部で合流し、ぶつかり合うことにより、再混合される。この結果、移送体の内部で第１流体及び第２流体の分離等が生じようとも、混合器の内部で第１流体及び第２流体は略均一に再混合されることから、第１流体及び第２流体の混合状態を移送後も好適に保持することができる。
【０００７】
請求項２に記載の混合装置の発明は、請求項１に記載の発明において、前記移送体は、第１流体及び第２流体の流動を滞らせる滞留部を有し、前記移送体の内部における第１流体及び第２流体の流動方向で前記混合器に向かう方向を下流として、当該滞留部を前記分岐体よりも上流に設けたことを要旨とする。
【０００８】
上記構成によれば、滞留部で第１流体及び第２流体の流動が滞ることにより、密度、比重等の差に基づく第１流体の流速と第２流体の流速との差が生じにくくなる。この結果、分岐体に至る迄の間における第１流体と第２流体との分離を抑制することができる。
【０００９】
請求項３に記載の混合装置の発明は、請求項１又は請求項２に記載の発明において、第１流体及び第２流体を混合状態とする混合部を備え、前記移送体を介して前記混合器に該混合部を接続したことを要旨とする。
【００１０】
上記構成によれば、混合部で混合状態となった第１流体及び第２流体を移送体へ迅速に送り込むことができる。
請求項４に記載の混合装置の発明は、請求項３に記載の発明において、前記混合部は、第１流体を流動させる第１供給体と、第２流体を流動させる第２供給体と、該第１供給体及び該第２供給体と前記移送体とに接続されて前記第１流体及び前記第２流体を合流させて前記移送体に送り込む合流器とを備えていることを要旨とする。
【００１１】
上記構成によれば、混合部で略均一に混合された状態を保持したまま、混合状態の第１流体及び第２流体を移送体へ送り込むことができる。
請求項５に記載の混合装置の発明は、請求項４に記載の発明において、前記合流器は、前記第１流体が流入する第１受容部と、前記第２流体が流入する第２受容部と、これら第１受容部と第２受容部を連通する合流部と、該第１受容部と該合流部との境界部分を同合流部へ向かうにつれ幅狭とする第１狭窄部と、該第２受容部と該合流部との境界部分を同合流部へ向かうにつれ幅狭とする第２狭窄部とを有していることを要旨とする。
【００１２】
上記構成によれば、第１流体及び第２流体が合流部を通過する際、第１狭窄部及び第２狭窄部で圧力が変化し、第１受容部及び第２受容部へ第１流体及び第２流体を吸引する力が生じる。この結果、第１流体及び第２流体が合流部で勢いよく混じり合うことから、合流器で第１流体及び第２流体を均一に混合することができる。
【００１３】
請求項６に記載の混合装置の発明は、請求項１から請求項５のうち何れか一項に記載の発明において、前記移送体の内部には第１タービンを回転可能に設け、前記分岐体の内部には第２タービンを回転可能に設け、該第１タービン及び該第２タービンを伝達軸で互いに接続し、前記移送体の内部における第１流体及び第２流体の流動による該第１タービンの回転力を該第２タービンに伝達したことを要旨とする。
【００１４】
上記構成によれば、第２タービンの回転により分岐体内の第１流体及び第２流体を混合器へと送り出すことができ、分岐体の内部で第１流体及び第２流体が停滞することを抑制することができる。
【００１５】
請求項７に記載の混合装置の発明は、請求項２から請求項６のうち何れか一項に記載の発明において、前記第１流入部及び前記連通部を前記移送体の内部に設けるとともに、前記第２流入部を前記分岐体の内部に設けて前記移送体を前記混合器と一体的に構成したことを要旨とする。
【００１６】
上記構成によれば、分岐体よりも上流に設けられた滞留部によって第１流体と第２流体との分離を抑制可能としつつ、前記混合器の構成を簡略化することができる。
請求項８に記載の混合装置の発明は、請求項７に記載の発明において、前記滞留部を前記分岐体よりも上流に少なくとも２つ以上設けたことを要旨とする。
【００１７】
上記構成によれば、第１流体及び第２流体の混合状態を移送中も好適に保持することができる。
【発明の効果】
【００１８】
本発明によれば、第１流体及び第２流体の混合状態を移送後も好適に保持することができる。
【発明を実施するための最良の形態】
【００１９】
（第１実施形態）
以下、本発明を、第１流体である水と、第２流体である油とを混合する混合装置に具体化した第１実施形態を図面に基づいて説明する。
【００２０】
図１に示すように、混合装置は、合流器としての第１エジェクタ１１と、混合器としての第２エジェクタ１２と、これら第１エジェクタ１１及び第２エジェクタ１２の間に接続された移送体としての移送管１３とを備えている。第１エジェクタ１１には、水を流動させる第１供給体１４と、油を流動させる第２供給体１５とが接続されている。これら第１供給体１４及び第２供給体１５は管材から形成されている。
【００２１】
前記第１エジェクタ１１の構成について説明する。
第１エジェクタ１１は、筒状をなす本体部２１を有しており、同本体部２１の内部には、基端側（図中左側）から筒状をなす第１吸入部２２が挿入されている。この第１吸入部２２には前記第１供給体１４が接続されており、同第１吸入部２２の内部は、水が流入する第１受容部２３とされている。一方、本体部２１の周壁上には筒状をなす第２吸入部２４が突設されるとともに、同第２吸入部２４の内部と本体部２１の内部とが連通されている。第２吸入部２４には前記第２供給体１５が接続されており、同第２吸入部２４の内部と、本体部２１の内周面及び前記第１吸入部２２の外周面に囲まれた部分とは、油が流入する第２受容部２５とされている。
【００２２】
本体部２１の先端部（図中右側）には吐出部３１が延設されている。この吐出部３１の内部は、第１受容部２３及び第２受容部２５を連通させる合流部３２とされており、同合流部３２で水及び油が混合状態とされている。前記第１吸入部２２の先端部（図中右側）には、合流部３２と第１受容部２３との境界部分に位置するように、第１狭窄部３３が設けられている。この第１狭窄部３３は、第１吸入部２２の先端部の周壁を先端へ向かうにつれ縮径することによって形成されており、合流部３２へ向かうにつれ水の通路を幅狭とすることにより、水の流速を加速させる。本体部２１と吐出部３１との間には、合流部３２と第２受容部２５との境界部分に位置するように、第２狭窄部３４が設けられている。この第２狭窄部３４は、吐出部３１の基端部の周壁を先端へ向かうにつれ縮径することによって形成されており、合流部３２へ向かうにつれ油の通路を幅狭とすることにより、油の流速を加速させる。
【００２３】
前記第２エジェクタ１２の構成について説明する。第２エジェクタ１２の構成は、前記第１エジェクタ１１と略同一であり、異なる点を中心に説明する。
第２エジェクタ１２において、第１エジェクタ１１の第１受容部２３に該当する部分は、混合状態の水及び油が流入する第１流入部４３とされている。第２エジェクタ１２において、第１エジェクタ１１の第２受容部２５に該当する部分は、混合状態の水及び油が流入する第２流入部４５とされている。第２エジェクタ１２において、第１エジェクタ１１の合流部３２に該当する部分は、第１流入部４３と第２流入部４５を連通する連通部５２とされている。第１吸入部２２の先端部（図中右側）には、第１流入部４３と連通部５２との境界部分に位置するように、狭窄部としての第３狭窄部５３が設けられている。本体部２１と吐出部３１との間には、連通部５２と第２流入部４５との境界部分に位置するように、第４狭窄部５４が設けられている。これら第３狭窄部５３及び第４狭窄部５４は、連通部５２へ向かうにつれ水及び油の通路を幅狭とすることにより、水及び油の流速を加速させる。
【００２４】
前記移送管１３は、一端が第１エジェクタ１１の吐出部３１に接続されており、他端が第２エジェクタ１２の第１吸入部２２に接続されている。この移送管１３は、第１エジェクタ１１に接続された一端側を上流とし、第２エジェクタ１２に接続された他端側を下流として、上流から下流へ向かって混合状態の水及び油を移送している。移送管１３の中間部には、滞留部として、２箇所の屈曲部６１が形成されている。これら屈曲部６１は、混合状態の水及び油の流れを滞らせることにより、水と油との流速差を緩和するように機能している。また、移送管１３の下流側の端部には、分岐管６２が同移送管１３から分岐して形成されている。この分岐管６２は、前記第２エジェクタ１２の第２吸入部２４に接続されている。さらに、移送管１３の中間部には、滞留部として、第１縮径部６３及び第２縮径部６４が形成されている。これら第１縮径部６３及び第２縮径部６４は、移送管１３の内部を縮径することによって形成されており、混合状態の水及び油の流れを一旦滞らせることにより、水と油との流速差を緩和するように機能している。さらに、第１縮径部６３及び第２縮径部６４は、前記第１エジェクタ１１及び前記第２エジェクタ１２の第１〜第４狭窄部３３，３４，５３，５４と同様に、混合状態の水及び油の流速を加速させ、移送管１３内で水及び油を混合するように機能している。
【００２５】
次に、前記混合装置の作用について以下に記載する。
さて、図１に示したように、当該混合装置の使用時には、まず第１エジェクタ１１に対し、第１供給体１４から水を送り込むとともに、第２供給体１５から油を送り込む。第１エジェクタ１１内において、第１供給体１４から送り込まれた水は、第１受容部２３から合流部３２へと至る際、第１狭窄部３３を通過するときに加速される。また一方、第２供給体１５から送り込まれた油は、第２受容部２５から合流部３２へと至る際、第２狭窄部３４を通過するときに加速される。従って、互いに加速された水及び油は、合流部３２で勢いよく混ざり合い、混合状態となって吐出部３１から移送管１３へと送り込まれる。
【００２６】
移送管１３内において、水及び油は、分離しようとはするものの、２箇所の屈曲部６１と第１縮径部６３及び第２縮径部６４とで流れが滞ることにより、水の流速と油の流速との間に大きな差が生じることを抑制される。また、第１縮径部６３及び第２縮径部６４で水及び油の流速が加速されることにより、移送管１３内における水及び油の混合状態が維持される。このため、水及び油は、移送管１３内で完全に分離することなく、混合状態のまま第２エジェクタ１２へと至る。第２エジェクタ１２へと至った水及び油は、第１流入部４３へと流れ込み、この第１流入部４３から第３狭窄部５３を通過して連通部５２へと達する。この第３狭窄部５３を通過するとき、水及び油の流速が加速されることにより、第２流入部４５から連通部５２へ向かう吸引力が生じる。
【００２７】
当該吸引力により、移送管１３内を流れる水及び油の一部が分岐管６２へと分流され、同分岐管６２から第２流入部４５を通って連通部５２へ流れ込む。さらに、第２流入部４５と連通部５２との境界部分には第４狭窄部５４が設けられていることから、水及び油の一部が同第４狭窄部５４を通過するとき加速される。従って、分岐管６２を流れる水及び油の一部は、連通部５２へ付勢状態で流れ込み、移送管１３から流れ込んだ水及び油と勢いよく混じり合う。その結果、水及び油は連通部５２で均一に混じり合うように再混合され、第２エジェクタ１２の吐出部３１から外部へと吐出される。
【００２８】
前記の第１実施形態によって発揮される効果について、以下に記載する。
（１）  実施形態の混合装置によれば、第２エジェクタ１２内における水及び油の速度、圧力等といった流動性状の変化を利用することにより、水及び油を再混合することができる。この結果、移送管１３内で分離等を生じようとも、第２エジェクタ１２で水及び油をそれぞれ微細に分散させ、その微細に分散された水及び油を均一に混合することができる。
【００２９】
（２）  また、移送管１３には、滞留部として複数（本実施形態では２つ）の屈曲部６１と、第１縮径部６３及び第２縮径部６４とが設けられている。各屈曲部６１、第１縮径部６３及び第２縮径部６４で水及び油の流れを滞らせることにより、水及び油が移送管１３内で分離することを抑制することができる。特に、第１縮径部６３及び第２縮径部６４は、水及び油の流れを滞らせた後、流速を加速させるため、移送管１３内でも再混合を行うことができ、水及び油が移送管１３内で分離することを防止することができる。
【００３０】
（３）  また、移送管１３の上流側の端部には水及び油を混合するための第１エジェクタ１１が接続されていることから、同第１エジェクタ１１で混合された水及び油を分離させることなく、混合された状態を保持したまま、迅速に移送することができる。
【００３１】
（４）  また、第１エジェクタ１１を使用することにより、水及び油を均一に混合することができる。
（第２実施形態）
以下、本発明を混合装置に具体化した第２実施形態を図面に基づいて説明する。なお、この実施形態については、前記第１実施形態と異なる点を中心に説明する。
【００３２】
図２に示すように、第２実施形態の混合装置においては、移送管１３の端部によって混合器１２ａが構成されている。即ち、移送管１３の下流側の端部において、移送管１３から分岐して形成された分岐管６２は、その先端部６２ａが同移送管１３の内部へ挿入されている。当該混合器１２ａにおいて、第１流入部４３は、分岐管６２の基端から分岐管６２の先端部６２ａが挿入された箇所までの範囲である。また、第２流入部４５は、分岐管６２の先端部６２ａの内部である。そして、分岐管６２の先端部６２ａが挿入された箇所から移送管１３の端部までが連通部５２である。また、移送管１３の内部において第１流入部４３と連通部５２との間には、分岐管６２の先端部６２ａが移送管１３の延びる方向と同方向へ延びるように挿入されることにより、第３狭窄部５３が形成されている。加えて、当該先端部６２ａは、先端へ向かうにつれ縮径されており、その内部に第４狭窄部５４が形成されている。なお、特に図示はしないが、混合器１２ａよりも上流における移送管１３の構成は、第１実施形態と同様のものとなっている。すなわち、移送管１３は、混合器１２ａよりも上流に２つ以上の滞留部（２箇所の屈曲部６１、第１縮径部６３及び第２縮径部６４）を有している。
【００３３】
さて、当該混合装置の混合器１２ａにおいて、移送管１３内を流れる水及び油は、第３狭窄部５３を通過する際、分岐管６２の先端部６２ａに流れを遮られることにより流速が増し、吸引力を生み出す。この吸引力により分岐管６２を介して水及び油が吸引され、連通部５２で再混合される。また、第４狭窄部５４により分岐管６２から送り出される水及び油が付勢され、水及び油が均一に再混合される。
【００３４】
（５）  従って、本実施形態の混合装置によれば、分岐管６２の先端部６２ａを移送管１３に挿入するという簡易な構成で混合器１２ａを形成することができる。
（６）  また、混合器１２ａよりも上流に２つ以上の滞留部を有しているため、水及び油の混合状態を移送中も好適に保持することができる。
【００３５】
（第３実施形態）
図３に示すように、第３実施形態の混合装置において、移送管１３の上流側の端部は、混合部である混合槽１１ａに接続されている。この混合槽１１ａは、箱状をなし、その側面には混合された水及び油を吐出する吐出管３１ａが突設されている。また、混合槽１１ａの内部には撹拌羽根７１が配設されている。
【００３６】
さて、当該混合装置の混合槽１１ａにおいて、その内部には水と油とが投入される。この投入された水と油は、撹拌羽根７１によって撹拌され、混合される。そして、混合された水及び油は吐出管３１ａから移送管１３を通り、第２エジェクタ１２へと送られ、同第２エジェクタ１２で再混合される。
【００３７】
（７）  従って、本実施形態の混合装置によれば、大量の水と油とを混合する場合においても、混合された水及び油を分離させることなく、迅速に移送管１３へ送ることができる。
【００３８】
（第４実施形態）
図４（ａ），（ｂ）に示すように、第４実施形態の混合装置においては、移送管１３の端部によって混合器１２ａが構成されている。即ち、移送管１３の下流側の端部において、分岐管６２は、その全体が移送管１３の内部に挿入されている。
【００３９】
図４（ａ）に示す移送管１３においては、分岐管６２の先端部６２ａが先端へ向かうにつれ縮径されており、同先端部６２ａの内部に第４狭窄部５４が形成されている。なお、第２流入部４５は、分岐管６２の内部である。また、移送管１３の下流側の端部においては、水及び油が流れ込む第１流入部４３が、分岐管６２の基端部６２ｂによって幅狭となることにより、第３狭窄部５３が形成されている。そして、第３狭窄部５３を通過した水及び油と、第４狭窄部５４を通過した水及び油とが連通部５２で合流することにより、再混合が行われる。
【００４０】
図４（ｂ）に示す移送管１３においては、分岐管６２が直管状に形成されている。また、移送管１３の端部が縮径されることにより、分岐管６２の先端部６２ａと、移送管１３の内面との間に第４狭窄部５４が形成されている。さらに、分岐管６２の先端部６２ａよりも下流側には、遮蔽板７２が設けられている。なお、この移送管１３は、縮径された端部内に連通部５２を有するとともに、第１流入部４３を分岐管６２の基端部６２ｂで幅狭とすることにより形成された第３狭窄部５３を有している。そして、第３狭窄部５３を通過した水及び油と、分岐管６２を通過した水及び油とが遮蔽板７２により流れを乱されることにより、再混合が行われる。
【００４１】
従って、本実施形態の混合装置においても、前記（１）の効果を得ることができる。
（第５実施形態）
図５に示すように、第５実施形態の混合装置は、前記第２実施形態の分岐管６２をさらに２つに分岐して第２分岐管７３及び第３分岐管７４を形成したものである。分岐管６２の内部は、第２流入部４５とされている。第２分岐管７３及び第３分岐管７４は、それぞれの先端部７３ａ，７４ａが移送管１３の内部へ、該移送管１３の延びる方向と同方向へ延びるように挿入されることにより、移送管１３の内部で第１流入部４３と連通部５２との間に第３狭窄部５３を形成している。また、第２分岐管７３及び第３分岐管７４の各先端部７３ａ，７４ａは、先端へ向かうにつれ縮径されることにより、それぞれの内部に第４狭窄部５４を有している。そして、移送管１３から分岐して分岐管６２へ吸入された水及び油は、さらに第２分岐管７３及び第３分岐管７４に分岐され、再混合が行われる。
【００４２】
（８）  従って、本実施形態の混合装置によれば、移送管１３の端部において、第２分岐管７３及び第３分岐管７４のそれぞれから水及び油を合流させることにより、混合器１２ａの内部で水及び油の流れが乱れやすく、水及び油を好適に撹拌することができる。
【００４３】
（第６実施形態）
図６に示すように、第６実施形態の混合装置は、移送管１３と分岐管６２とを結束する結束部材８１を有している。この結束部材８１は、結束ケース８２と、同結束ケース８２に取着された一対の接続筒８３とを備えている。これら接続筒８３は、前記移送管１３及び前記分岐管６２のそれぞれの途中に介装されている。一対の接続筒８３のうち、移送管１３に介装される接続筒８３の内部には第１タービン８４が配設されている。また、一対の接続筒８３のうち、分岐管６２に介装される接続筒８３の内部には第２タービン８５が配設されている。これら第１タービン８４及び第２タービン８５の間には伝達軸８６が接続されている。第１タービン８４及び第２タービン８５は、伝達軸８６を中心に、各接続筒８３の内部で回転可能に構成されている。
【００４４】
さて、当該結束部材８１において、移送管１３内を水及び油が流動すると、第１タービン８４が回転される、この第１タービン８４の回転に伴い、その回転駆動力が伝達軸８６を介して第２タービン８５に伝達されると、第２タービン８５が回転される。そして、第２タービン８５が回転されると、分岐管６２内を流動する水及び油の流速が増し、水及び油の過給が行われる。
【００４５】
（９）  従って、本実施形態の混合装置によれば、第２タービン８５の回転により、分岐管６２内を流動する水及び油の過給を行うことができ、分岐管６２内で水及び油が停滞することを抑制し、第２エジェクタ１２内での混合を好適なものとすることができる。
【００４６】
（変更例）
なお、各実施形態は、次のように変更して具体化することも可能である。
・  第１及び第２流体は、水、油等の液体に限らず、例えば砂、セメント等の粉粒体（固体）、ゾル、ゲル、コロイド、空気、窒素、アンモニア等の気体等としてもよい。このように構成した場合にも上記（１）と同様の効果を得ることができる。
【００４７】
・  別箇所で混合された第１及び第２流体を混合装置まで移送し、当該混合装置に投入してもよい。このように構成した場合にも上記（１）と同様の効果を得ることができる。
・  屈曲部６１を省略してもよい。または、屈曲部６１を１つ或いは３つ以上設けてもよい。このように構成した場合にも上記（１）と同様の効果を得ることができる。
【００４８】
・  移送管１３に代え、移送体として移送樋（とい）等を使用してもよい。同様に、分岐管６２に代え、分岐体として分岐樋（とい）等を使用してもよい。また、第１供給体１４及び第２供給体１５は、管材から形成することに限らず、ホッパ、樋（とい）等で構成してもよい。このように構成した場合にも上記（１）と同様の効果を得ることができる。
【００４９】
・  分岐管６２の中間部分を拡径したり、縮径したり、凹凸を形成したり、湾曲させたり、角度を変えたり等して、分岐管６２内部における第１及び第２流体の流れを乱し、これらを撹拌するように構成してもよい。このように構成した場合、分岐管６２内部においても第１及び第２流体を撹拌することができる。
【００５０】
・  本発明の混合装置を、反応器、加工機、バーナー、洗浄機、浴槽用のウォータージェット装置等に使用してもよい。このように構成した場合にも上記（１）と同様の効果を得ることができる。
【００５１】
・  移送管１３及び分岐管６２をそれぞれ支持すべく、フック、チェーン、吸盤等の支持部材を適宜設けてもよい。
・  移送管１３及び分岐管６２のうち、少なくとも何れか一方を伸縮可能に構成してもよい。このように構成した場合、設置場所のスペースの大小に柔軟に対応することができる。また、分岐管６２を迂回する時間、つまりは遅延時間を制御することによって、混合状態が最適となるように調整することができる。
【００５２】
・  移送管１３、分岐管６２等に流体の流動に応じて可動する、例えば風車、ビーズ、目盛り、笛等の流動確認部材を設けてもよい。このような流動確認部材を設けることにより、流動しているか否かを簡易に確認することができる。
【００５３】
・  混合装置を水中等の液中に設置する場合、浮き袋等を取着してもよい。
・  例えば、吐出部３１を可動可能とする等して、第１エジェクタ１１又は第２エジェクタ１２による第１及び第２流体の吐出方向を変更可能に構成してもよい。
【００５４】
・  第２実施形態において、移送管１３に対して分岐管６２の先端部６２ａの延びる方向は同方向に限らず、直交方向又は交差方向としてもよい。同様に、第５実施形態において、第２分岐管７３及び第３分岐管７４の各先端部７３ａ，７４ａの延びる方向は同方向に限らず、直交方向又は交差方向としてもよい。また、第２及び第５実施形態において、各先端部６２ａ，７３ａ，７４ａの延びる方向を適宜変更できるように構成してもよい。
【００５５】
・  移送管１３に対して第１エジェクタ１１及び第２エジェクタ１２のうち少なくとも何れか一方を回転可能に構成してもよい。また、第１エジェクタ１１及び第２エジェクタ１２を回転可能とした場合、移送管１３に対して分岐管６２をも回転可能に構成してもよい。
【００５６】
・  移送管１３から分岐管を２本以上分岐してもよい。
・  第１エジェクタ１１と第２エジェクタ１２との間、或いは第２エジェクタ１２よりも下流側に第３エジェクタ、第４エジェクタ等を設ける等、第１エジェクタ１１よりも下流側に、混合器として複数のエジェクタを設けてもよい。なお、これら複数のエジェクタは、それぞれの構成が第２エジェクタ１２と同様のものとすることが好ましい。
【００５７】
・  再混合された第１流体及び第２流体は、混合装置の下流側端部において、１箇所から吐出されることのみに限定されず、複数箇所から吐出してもよい。すなわち、各実施形態において、例えば第２エジェクタ１２、或いは移送管１３の端部にシャワーノズルを接続したり、第２エジェクタ１２において吐出部３１を複数設けたり等してもよい。
【図面の簡単な説明】
【００５８】
【図１】第１実施形態の混合装置を示す概念図。
【図２】第２実施形態の混合装置を示す断面図。
【図３】第３実施形態の混合装置を示す概念図。
【図４】（ａ），（ｂ）は第４実施形態の混合装置を示す断面図。
【図５】第５実施形態の混合装置を示す断面図。
【図６】第６実施形態の混合装置を示す概念図。
【符号の説明】
【００５９】
１１…合流器としての第１エジェクタ、１２…混合器としての第２エジェクタ、１２ａ…混合器、１３…移送体としての移送管、１４…第１供給体、１５…第２供給体、２３…第１受容部、２５…第２受容部、３２…合流部、３３…第１狭窄部、３４…第２狭窄部、４３…第１流入部、４５…第２流入部、５２…連通部、５３…混合器の狭窄部としての第３狭窄部、５４…混合器の狭窄部としての第４狭窄部、６１…滞留部としての屈曲部、６２…分岐体としての分岐管、６３…滞留部としての第１縮径部、６４…滞留部としての第２縮径部、７３…分岐体としての第２分岐管、７４…分岐体としての第３分岐管、８４…第１タービン、８５…第２タービン、８６…伝達軸。
【図１】
2006167624.tif 000003
【図２】
2006167624.tif 000004
【図３】
2006167624.tif 000005
【図４】
2006167624.tif 000006
【図５】
2006167624.tif 000007
【図６】
2006167624.tif 000008